(57)【要約】【課題】複数個を互いに上下に重ねることができる上に、取付けが簡単で安定に係合できる収納箱を提供する。【解決手段】上端部に第１の係止孔２２４が、下端部に第１の係止孔２２４に対応する第２の係止孔２１５が形成されている箱状の収納手段２と、収納手段２の第１の係止孔２２４に挿し込まれる第１の挿入部３１と、第２の係止孔２１５に挿し込まれる第２の挿入部３２と、第１の挿入部３１が１つの収納手段２の第１の係止孔２２４に挿し込まれ、且つ第２の挿入部３２が前記１つの収納手段２の上端部により支持される他の１つの収納手段２の第２の係止孔２１５に挿し込まれている際、それら収納手段２同士の間に挟まれるように介在し、且つそれらの収納手段２に接する表面が粗面に形成されている滑り止め部３３とが形成されている接続手段３と、を具えている収納箱を提供する。【選択図】  図１
0003204608.tif 000002
【実用新案登録請求の範囲】
【請求項１】
複数個を互いに上下に重ねることができる箱状の収納手段であって、所定の収納空間を囲みながら、上端部と、該上端部の反対側にある下端部とを有し、前記上端部には、前記下端部と形状的に対応して他の１つの収納手段の前記下端部を受入れて支持することができる受入スロットと、第１の係止孔とが形成されており、前記下端部には、第２の係止孔が形成されている収納手段と、
前記収納手段の前記第１の係止孔に挿し込まれることができる第１の挿入部と、前記第２の係止孔に挿し込まれることができる第２の挿入部と、前記第１の挿入部が１つの前記収納手段の前記上端部に形成された前記第１の係止孔に挿し込まれ、且つ前記第２の挿入部が前記１つの前記収納手段の前記上端部により支持される他の１つ前記収納手段の前記下端部に形成された前記第２の係止孔に挿し込まれている際、前記１つの前記収納手段の前記上端部と前記他の１つの前記収納手段の前記下端部との間に挟まれるように介在し、且つ前記１つの前記収納手段の前記上端部及び前記他の１つの前記箱手段の前記下端部に接する表面が粗面に形成されている滑り止め部とが形成されている接続手段と、
を具えていることを特徴とする収納箱。
【請求項２】
前記収納手段は、
前記収納空間を囲みながら、前記収納空間の上方において上端開口が開けられている箱ユニットと、
前記箱ユニットの前記上端開口を覆うように前記箱ユニットに取り外し可能に取付けられている上蓋部を有する蓋ユニットと、を具えており、
前記下端部は前記箱ユニットに属していると共に、前記下端部に形成されている前記第２の係止孔は、前記箱ユニットの側面側に向かって開口するように形成されており、
前記上端部は前記蓋ユニットに属し、且つ前記受入スロットは前記上蓋部に形成されていると共に、前記上端部の前記第１の係止孔は、前記受入スロットに形成されていて前記第２の係止孔に対応して開口するように形成されていることを特徴とする請求項１に記載の収納箱。
【請求項３】
前記箱ユニットは、
前記下端部にある略四角形の底板と、
前記底板の一端縁から該底板と略直交するように上方へ延伸する後板と、
前記底板の前記一端縁の反対側にある他端縁から上方に向けて徐々に前記後板から離れるように上方へ斜めに延伸する前板と、
前記底板の前記一端縁及び前記他端縁以外の２つの端縁からそれぞれ上方へ延伸し、且つ両側端がそれぞれ前記後板及び前記前板と接している２つの側板とを有するように形成されていることを特徴とする請求項２に記載の収納箱。
【請求項４】
前記箱ユニットが有する前記２つの側板はそれぞれ、前記底板に接する下辺と、前記前板に接する前辺と、前記後板に接する後辺と、前記後板に接する後辺の上端から前記底板と略平行するように前記前板側へ延伸する第１の開口辺と、前記前板に接する前辺の上端から前記後板へ接近しながら上方へ斜めに延伸して前記第１の開口辺と接する第２の開口辺と、からなる５つの辺を有する略五角形に形成されており、
前記後板の上端縁及び前記２つの側板それぞれの前記第１の開口辺により前記上端開口を画成し、且つ前記前板の上端縁及び前記２つの側板それぞれの前記第２の開口辺により前記上端開口に隣接する前側開口を画成しており、
前記蓋ユニットは、
前記箱ユニットの前記前側開口を覆うように前記箱ユニットに取り外し可能に取付けられ、且つ前記上蓋部に枢結されている前蓋部を有するように構成されていることを特徴とする請求項３に記載の収納箱。
【請求項５】
前記蓋ユニットの前記上蓋部に形成された前記受入スロットは、上方に面し前記他の１つの前記収納手段の前記底板を支持することができる支持板と、前記支持板の周縁から上方へ延伸する周壁とを有しており、
前記第２の係止孔は、前記箱ユニットが有する前記後板の、該箱ユニットの前記下端部が他の１つの前記収納手段の前記蓋ユニットの前記受入スロットにより受入れられる際に該受入スロットの周壁に面する箇所に２つ形成されており、
前記第１の係止孔は、前記蓋ユニットが有する前記上蓋部の前記受入スロットが他の１つの前記収納手段の前記下端部を受入れる際、該収納手段の前記箱ユニットが有する前記後板に２つ形成された前記第２の係止孔とそれぞれ向かいあって開口するように前記受入スロットが有する前記周壁に２つ形成されていることを特徴とする請求項４に記載の収納箱。
【請求項６】
前記接続手段は２つあって、それぞれ可撓性に優れた材料により形成されていると共に、前記第１の挿入部と前記第２の挿入部とは同一の板状体の両端部に形成されており、前記滑り止め部は前記板状体と略直交するように前記第１の挿入部と前記第２の挿入部との間にある箇所から突起するように形成されていることを特徴とする請求項５に記載の収納箱。
【考案の詳細な説明】
【技術分野】
【０００１】
本考案は、収納箱に関し、特に複数個を互いに上下に重ねることができる収納箱に関する。
【背景技術】
【０００２】
限りある室内空間を有効利用するため、物品を分別保管する収納箱を複数個互いに上下に重ねて使用することが多い。しかし、複数個の収納箱を互いに固定する係合手段がなければ、上に積んである収納箱の位置がずれたり、崩れたりする恐れがある。
【考案の概要】
【考案が解決しようとする課題】
【０００３】
上記問題点に鑑みて、本考案は複数個を互いに上下に重ねることができる上に、互いの取付けが簡単でしかも安定に係合することができる収納箱の提供を目的とする。
【課題を解決するための手段】
【０００４】
上記目的を達成する手段として、本考案は、複数個を互いに上下に重ねることができる収納手段であって、所定の収納空間を囲みながら、上端部と、該上端部の反対側にある下端部とを有し、前記上端部には、前記下端部と形状的に対応して他の１つの収納手段の前記下端部を受入れて支持することができる受入スロットと、第１の係止孔とが形成されており、前記下端部には、第２の係止孔が形成されている収納手段と、前記収納手段の前記第１の係止孔に挿し込まれることができる第１の挿入部と、前記第２の係止孔に挿し込まれることができる第２の挿入部と、前記第１の挿入部が１つの前記収納手段の前記上端部に形成された前記第１の係止孔に挿し込まれ、且つ前記第２の挿入部が前記１つの前記収納手段の前記上端部により支持される他の１つ前記収納手段の前記下端部に形成された前記第２の係止孔に挿し込まれている際、前記１つの前記収納手段の前記上端部と前記他の１つの前記収納手段の前記下端部との間に挟まれるように介在し、且つ前記１つの前記収納手段の前記上端部及び前記他の１つの前記収納手段の前記下端部に接する表面が粗面に形成されている滑り止め部とが形成されている接続手段と、を具えていることを特徴とする収納箱を提供する。
【考案の効果】
【０００５】
上記構成によれば、本考案の収納箱は、１つの収納手段と他の１つの収納手段とをそれぞれ第１の挿入部と第２の挿入部で係合し、且つ両方の収納手段にそれぞれ接する表面が粗面に形成されている滑り止め部を有する接続手段を用いることにより、第１の挿入部と第２の挿入部との取付けが簡単であり、且つ滑り止め部の表面に形成された粗面で第１の挿入部及び第２の挿入部による係合をサポートして接続の安定性を高めることができる収納箱を提供することができる。
【図面の簡単な説明】
【０００６】
【図１】本考案の収納箱の構成例が示されている斜視図である。
【図２】本考案の収納箱の同構成例における収納手段及び接続手段の一部拡大斜視図である。
【図３】本考案の収納箱の同構成例において２個の収納手段が互いに上下に重なった様子が示されている斜視図である。
【図４】図３に示されている収納箱の使用状態が示されている斜視図である。
【考案を実施するための形態】
【０００７】
以下は各図面を参照して本考案の収納箱の好ましい実施形態について詳しく説明する。
【０００８】
図１〜図２に本考案の収納箱の好ましい実施形態が示されており、図１は本考案の収納箱の構成例が示されている斜視図である。
【０００９】
図１に示されているように、本考案の収納箱は収納手段２と接続手段３とを具え、接続手段３の接続により複数個（図中では２個）の収納手段２を互いに上下に重ねることができるものである。
【００１０】
収納手段２は、収納空間２０を囲みながら、収納空間２０の上方において上端開口が開けられている箱ユニット２１と、箱ユニット２１の上端開口を覆うように箱ユニット２１に取り外し可能に取付けられている上蓋部２２１を有する蓋ユニット２２と、を具えている。
【００１１】
また、収納手段２は上端部と、該上端部の反対側にある下端部とを有し、上端部にある蓋ユニット２２の上蓋部２２１には、下端部と形状的に対応して他の１つの収納手段２の下端部を受入れて支持することができる受入スロット２２３と、第１の係止孔２２４とが形成されており、そして収納手段２の下端部には、第２の係止孔２１５が形成されている。
【００１２】
即ち、この実施形態において、収納手段２の下端部は箱ユニット２１に属していると共に、下端部に形成されている第２の係止孔２１５は、箱ユニット２１の側面側に向かって開口するように形成されており、また、収納手段２の上端部は蓋ユニット２２に属し、且つ受入スロット２２３は上蓋部２２１に形成されていると共に、上端部の受入スロット２２３に形成されている第１の係止孔２２４は、第２の係止孔２２３に対応して開口するように形成されている。
【００１３】
図２は本考案の収納箱の同構成例における収納手段及び接続手段の一部拡大斜視図であり、図３は本考案の収納箱の同構成例において収納手段が２個互いに上下に重なった様子が示されている斜視図である。図２に示されているように、接続手段３は、収納手段２の第１の係止孔２２４に挿し込まれることができる第１の挿入部３１と、収納手段２の第２の係止孔２１５に挿し込まれることができる第２の挿入部３２と、表面が粗面に形成されている滑り止め部３３とが形成されている。この実施形態において、接続手段３は例えばゴムなどの可撓性に優れた材料により形成されていると共に、第１の挿入部３１と第２の挿入部３２とは同一の板状体の両端部に形成されており、滑り止め部３３は該板状体と略直交するように第１の挿入部３１と第２の挿入部３２との間にある箇所から突起するように形成されている。
【００１４】
この構成により、接続手段３の第１の挿入部３１が図３に示されているように、下側に配置されている１つの収納手段２の上端部に形成された第１の係止孔２２４に挿し込まれ、且つ接続手段３の第２の挿入部３２が該下側に配置されている１つの収納手段２の上端部にある蓋ユニット２２の上蓋部２２１により支持されていて上側に配置されている他の１つ収納手段２の下端部に形成された第２の係止孔２１５に挿し込まれている際、接続手段３の滑り止め部３３は下側に配置されている１つの収納手段２の上端部と、上側に配置されている他の１つの収納手段２の下端部との間に挟まれるように介在するようになる。そして２つの収納手段２の間に介在する滑り止め部３３は、粗面に形成された表面で該２つの収納手段２に接することによって、滑り止め部３３と２つの収納手段２との間にある摩擦力で第１の挿入部３１及び第２の挿入部３２による係合をサポートして接続の安定性を高めることができる。
【００１５】
また、接続手段３は例えばゴムなどの可撓性に優れた材料により形成されているので、２つの収納手段２の間に取付ける際、多少湾曲させることができ、取り付けの利便性が高められる。
【００１６】
更に、図４は図３に示されている収納箱の使用状態が示されている斜視図である。以下は図１〜図４を用いて、本考案の収納箱のこの実施形態の構成について更に詳しく説明する。
【００１７】
図示のように、収納手段２の箱ユニット２１は、その下端部に配置される略四角形の底板２１１と、底板２１１の一端縁から該底板２１１と略直交するように上方へ延伸する後板２１４と、底板２１１の前記一端縁の反対側にある他端縁から上方に向けて徐々に後板２１４から離れるように上方へ斜めに延伸する前板２１２と、底板２１１の前記一端縁及び前記他端縁以外の２つの端縁からそれぞれ上方へ延伸し、且つ両側端がそれぞれ後板２１４及び前板２１２と接している２つの側板２１３とを有するように形成されている。
【００１８】
更に、箱ユニット２１が有する２つの側板２１３はそれぞれ、底板２１１に接する下辺２１３１と、前板２１２に接する前辺２１３２と、後板２１４に接する後辺２１３３と、後板２１４に接する後辺２１３３の上端から底板２１１と略平行するように前板２１２側へ延伸する第１の開口辺２１３４と、前板２１２に接する前辺２１３２の上端から後板２１４へ接近しながら上方へ斜めに延伸して第１の開口辺２１３４と接する第２の開口辺２１３５と、からなる５つの辺を有する略五角形に形成されている。この構成により、後板２１４の上端縁及び２つの側板２１３それぞれの第１の開口辺２１３４により、上端開口（図面では蓋ユニット２２の上蓋部２２１に覆われている）を画成し、前板２１２の上端縁及び２つの側板２１３それぞれの第２の開口辺２１３５により前記上端開口に隣接する前側開口２１７を画成している。
【００１９】
そして蓋ユニット２２は、箱ユニット２１の前側開口２１７を覆うように箱ユニット２１に取り外し可能に取付けられ、且つ上蓋部２２１に枢結されている前蓋部２２２を更に有している。
【００２０】
前側開口２１７及び前蓋部２２２が上述のように構成されていることにより、図３、図４に示されているように、２つの収納手段２が互いに上下に重なっていても、前蓋部２２２を開くことにより前側開口２１７を経由して収納手段２内の収納空間２０にアクセスすることができる。
【００２１】
また、蓋ユニット２２の上蓋部２２１に形成された受入スロット２２３は、上方に面し他の１つの収納手段２の底板２１１を支持することができる支持板２２３１と、支持板２２３１の周縁から上方へ延伸する周壁２２３２とを有するように形成されている。
【００２２】
この実施形態における第２の係止孔２１５は、箱ユニット２１が有する後板２１４の、該箱ユニット２１の下端部が他の１つの収納手段２の蓋ユニット２２の受入スロット２２３により受入れられる際、該受入スロット２２３の周壁２２３２に面する箇所に２つ形成されており、そして第１の係止孔２２４は、蓋ユニット２２が有する上蓋部２２１の受入スロット２２３が他の１つの収納手段２の下端部を受入れる際、該収納手段２の箱ユニット２１が有する後板２１４に２つ形成された第２の係止孔２１５とそれぞれ向かいあって開口するように受入スロット２２３が有する周壁２２３２に２つ形成されている。
【００２３】
即ち、第１の係止孔２２４と第２の係止孔２１５は、同一の板状体の両端部に形成されている接続手段３の第１の挿入部３１と第２の挿入部３２に対応し、それら第１の挿入部３１と第２の挿入部３２を受入れることができるように互いに向かい合って開口するように形成されている。
【００２４】
なお、上記実施形態では、２つの収納手段２を重ねた構成例を示したが、これに限らず、３つ以上の収納手段２を上下に重ねた構成とすることも当然可能である。
【産業上の利用可能性】
【００２５】
上記構成によれば、本考案の収納箱は、１つの収納手段と他の１つの収納手段とをそれぞれ第１の挿入部と第２の挿入部で係合し、且つ両方の収納手段にそれぞれ接する表面が粗面に形成されている滑り止め部を有する接続手段を用いることにより、第１の挿入部と第２の挿入部との取付けが簡単で且つ滑り止め部の表面に形成された粗面で第１の挿入部及び第２の挿入部による係合をサポートして接続の安定性を高めることができる収納箱を提供することができる。
【符号の説明】
【００２６】
２          収納手段
２０        収納空間
２１        箱ユニット
２１１      底板
２１２      前板
２１３      側板
２１３１    下辺
２１３２    前辺
２１３３    後辺
２１３４    第１の開口辺
２１３５    第２の開口辺
２１４      後板
２１５      第２の係止孔
２１７      前側開口
２２        蓋ユニット
２２１      上蓋部
２２２      前蓋部
２２３      受入スロット
２２３１    支持板
２２３２    周壁
２２４      第１の係止孔
３          接続手段
３１        第１の挿入部
３２        第２の挿入部
３３        滑り止め部
【図１】
0003204608.tif 000003
【図２】
0003204608.tif 000004
【図３】
0003204608.tif 000005
【図４】
0003204608.tif 000006
【手続補正書】
【提出日】平成28年4月5日(2016.4.5)
【手続補正１】
【補正対象書類名】実用新案登録請求の範囲
【補正対象項目名】全文
【補正方法】変更
【補正の内容】
【実用新案登録請求の範囲】
【請求項１】
複数個を互いに上下に重ねることができる箱状の収納手段であって、所定の収納空間を囲みながら、上端部と、該上端部の反対側にある下端部とを有し、前記上端部には、前記下端部と形状的に対応して他の１つの収納手段の前記下端部を受入れて支持することができる受入スロットと、第１の係止孔とが形成されており、前記下端部には、第２の係止孔が形成されている収納手段と、
前記収納手段の前記第１の係止孔に挿し込まれることができる第１の挿入部と、前記第２の係止孔に挿し込まれることができる第２の挿入部と、前記第１の挿入部が１つの前記収納手段の前記上端部に形成された前記第１の係止孔に挿し込まれ、且つ前記第２の挿入部が前記１つの前記収納手段の前記上端部により支持される他の１つ前記収納手段の前記下端部に形成された前記第２の係止孔に挿し込まれている際、前記１つの前記収納手段の前記上端部と前記他の１つの前記収納手段の前記下端部との間に挟まれるように介在し、且つ前記１つの前記収納手段の前記上端部及び前記他の１つの前記収納手段の前記下端部に接する表面が粗面に形成されている滑り止め部とが形成されている接続手段と、
を具えていることを特徴とする収納箱。
【請求項２】
前記収納手段は、
前記収納空間を囲みながら、前記収納空間の上方において上端開口が開けられている箱ユニットと、
前記箱ユニットの前記上端開口を覆うように前記箱ユニットに取り外し可能に取付けられている上蓋部を有する蓋ユニットと、を具えており、
前記下端部は前記箱ユニットに属していると共に、前記下端部に形成されている前記第２の係止孔は、前記箱ユニットの側面側に向かって開口するように形成されており、
前記上端部は前記蓋ユニットに属し、且つ前記受入スロットは前記上蓋部に形成されていると共に、前記上端部の前記第１の係止孔は、前記受入スロットに形成されていて前記第２の係止孔に対応して開口するように形成されていることを特徴とする請求項１に記載の収納箱。
【請求項３】
前記箱ユニットは、
前記下端部にある略四角形の底板と、
前記底板の一端縁から該底板と略直交するように上方へ延伸する後板と、
前記底板の前記一端縁の反対側にある他端縁から上方に向けて徐々に前記後板から離れるように上方へ斜めに延伸する前板と、
前記底板の前記一端縁及び前記他端縁以外の２つの端縁からそれぞれ上方へ延伸し、且つ両側端がそれぞれ前記後板及び前記前板と接している２つの側板とを有するように形成されていることを特徴とする請求項２に記載の収納箱。
【請求項４】
前記箱ユニットが有する前記２つの側板はそれぞれ、前記底板に接する下辺と、前記前板に接する前辺と、前記後板に接する後辺と、前記後板に接する後辺の上端から前記底板と略平行するように前記前板側へ延伸する第１の開口辺と、前記前板に接する前辺の上端から前記後板へ接近しながら上方へ斜めに延伸して前記第１の開口辺と接する第２の開口辺と、からなる５つの辺を有する略五角形に形成されており、
前記後板の上端縁及び前記２つの側板それぞれの前記第１の開口辺により前記上端開口を画成し、且つ前記前板の上端縁及び前記２つの側板それぞれの前記第２の開口辺により前記上端開口に隣接する前側開口を画成しており、
前記蓋ユニットは、
前記箱ユニットの前記前側開口を覆うように前記箱ユニットに取り外し可能に取付けられ、且つ前記上蓋部に枢結されている前蓋部を有するように構成されていることを特徴とする請求項３に記載の収納箱。
【請求項５】
前記蓋ユニットの前記上蓋部に形成された前記受入スロットは、上方に面し前記他の１つの前記収納手段の前記底板を支持することができる支持板と、前記支持板の周縁から上方へ延伸する周壁とを有しており、
前記第２の係止孔は、前記箱ユニットが有する前記後板の、該箱ユニットの前記下端部が他の１つの前記収納手段の前記蓋ユニットの前記受入スロットにより受入れられる際に該受入スロットの周壁に面する箇所に２つ形成されており、
前記第１の係止孔は、前記蓋ユニットが有する前記上蓋部の前記受入スロットが他の１つの前記収納手段の前記下端部を受入れる際、該収納手段の前記箱ユニットが有する前記後板に２つ形成された前記第２の係止孔とそれぞれ向かいあって開口するように前記受入スロットが有する前記周壁に２つ形成されていることを特徴とする請求項４に記載の収納箱。
【請求項６】
前記接続手段は２つあって、それぞれ可撓性に優れた材料により形成されていると共に、前記第１の挿入部と前記第２の挿入部とは同一の板状体の両端部に形成されており、前記滑り止め部は前記板状体と略直交するように前記第１の挿入部と前記第２の挿入部との間にある箇所から突起するように形成されていることを特徴とする請求項５に記載の収納箱。